(57)【要約】【課題】本発明はブラジャー、およびブラジャーに用いる線状芯材に関し、バストの保形性を優れ、しかも身体の動きにより左右のカップ部が変形したり、ずれ動くのが確実に防止されるものである。【解決手段】着用時にバストを被覆する左右一対のカップ１,１′と、両カップを横一列に繋ぐ連結部２と、連結部の中央に形成される切欠き部３と、左右の対辺４ａ,４ｂが上に行くほど互いに近接し、下方が閉鎖された上すぼまり状に形成されるとともに、対辺の上端にはマッチ状の被覆部５を装着した線状芯材４とを備え、線状芯材が切欠き部３の縁部３ａに沿って内装したブラジャーにおいて、線状芯材４は、左右の対辺の上半部４ａ1,４ｂ1が、下半部４ａ2,４ｂ2に対して内方に側面略く字形に折曲され、閉鎖端辺４ｃを有する下半部が左右のカップのバージスラインＳよりも下方に充分な長さｌに形成されて切欠き部に取付けられる。【選択図】図１
2006045683.tif 000002
【特許請求の範囲】
【請求項１】
着用時にバストを被覆する左右一対のカップと、該両カップを横一列に繋ぐ連結部と、該連結部の中央に形成される切欠き部と、向かい合う左右の対辺が上に行くほど互いに近接し、下方が閉鎖された上すぼまり状に形成されるとともに、前記対辺の上端にはゴム、合成樹脂等の弾性材によりマッチ状の被覆部を装着した線状芯材とを備え、該線状芯材が前記切欠き部の縁部に沿って内装したブラジャーにおいて、
前記線状芯材は、前記左右の対辺の上半部が下半部に対して内方に側面略く字形に折曲され、閉鎖端辺を有する前記下半部が左右の前記カップのバージスラインよりも下方に充分な長さに形成されて前記切欠き部に取付けられることを特徴としたブラジャー。
【請求項２】
前記線状芯材は、正面形状が直線状の前記閉鎖端辺と、上に行くほど互いに近接する左右の前記対辺とにより略等辺三角形に形成されることを特徴とした請求項１に記載のブラジャー。
【請求項３】
前記線状芯材は、前記切欠き部の左右対向する縁部に略筒状に形成される収容部内に左右の前記対辺が同時に下方から上方へ挿入の上、閉鎖端辺が前記切欠き部の下縁部片を巻き付けられて固定されることを特徴とした請求項１,２に記載のブラジャー。
【請求項４】
前記線状芯材は、高さが６５０±２０ｍｍに形成されることを特徴とした請求項１,２,３に記載のブラジャー。
【請求項５】
着用時にバストを被覆する左右一対のカップと、該両カップを横一列に繋ぐ連結部と、該連結部の中央に形成される切欠き部と、向かい合う左右の対辺が上に行くほど互いに近接し、下方が閉鎖された上すぼまり状に形成されるとともに、前記対辺の上端にはゴム、合成樹脂等の弾性材によりマッチ状の被覆部を装着した線状芯材とを備え、該線状芯材が前記切欠き部の縁部に沿って内装したブラジャーに用いるものにおいて、前記線状芯材は正面形状が直線状の前記閉鎖端辺と、上に行くほど互いに近接する左右の前記対辺とにより略等辺三角形に形成され、側面形状が前記左右の対辺の上半部が下半部に対して内方に側面略く字形に折曲され、閉鎖端辺を有する前記下半部が左右の前記カップのバージスラインよりも下方に充分な長さに形成されて前記切欠き部に取付けられることを特徴としたブラジャーに用いる線状芯材。
【発明の詳細な説明】
【技術分野】
【０００１】
本発明はブラジャー、およびブラジャーに用いる線状芯材に関し、バストの保形性を優れ、しかも身体の動きにより左右のカップ部が変形したり、ずれ動くのが確実に防止されるものである。
【背景技術】
【０００２】
近年、肩や胸元が大きく露出した大胆なデザインの服を着こなす女性が多くなっている。そして、インナーとしてバストを覆い、保形を維持するブラジャーも、アウターとしての服に合わせて１／２カップブラジャーのように肩紐がないもの、カップの前ぐりの大きいもの等の各種の形状、姿態のものがある。
【０００３】
従来、例えば着用時にバストを被覆する左右一対のカップ部と、該両カップ部を横一列に繋ぐ連結部と、該連結部の中央に形成される切欠き部と、向かい合う左右の対辺が上に行くほど互いに近接し、下方が閉鎖された上すぼまり状に形成されるとともに、前記対辺の上端にはゴム、合成樹脂等の弾性材によりマッチ状の被覆部を装着した線状芯材とを備え、該線状芯材が前記切欠き部の縁部に沿って内装されたブラジャーがある。
【０００４】
このブラジャーでは、左右のカップ部を繋ぐ連結部の中央に形成する切欠き部の縁部に沿って内装された線状芯材は、向かい合う左右の対辺が上に行くほど互いに接近した先すぼまりの正面略Ｕ字状に形成されたものなので、左右のカップ部の面積がフルカップや３／４カップのブラジャーよりも面積が小さく、バスト上部（チェスト）を横方向に通過する上側のテンションと、バージスラインに一致するアンダーバストを横方向に通過する下側のテンションとが均衡してバランスを保持するようになっている１／２カップのブラジャーについては、ブラジャーの連結部の中央に設けた切欠き部の切込み深さの設置比率がフルカップや３／４カップのブラジャーよりも大きくなるため、左右のカップ部が左右に斜め下方に引張られて左右に開き気味になる傾向が強くなるが、先すぼまりの正面略Ｕ字状の線状芯線により左右のカップを中心方向に引っ張り、バスト上部にかかるテンションの分断をなくし、左右のカップが動いたり、変形するのを防止するようにしたものがある（例えば特許文献１参照）。
【特許文献１】実開平５−３７９０６号公報
【発明の開示】
【発明が解決しようとする課題】
【０００５】
しかしながら、特許文献１に記載の上記従来のブラジャーでは、左右のカップを繋ぐ連結部に設けた切り欠き部が、バージスラインに一致するアンダーバストよりも上側に位置する場合を主眼としてその切り欠き部の縁部に正面略Ｕ字状の線状芯材を内装することにより左右のカップが斜め下方に引っ張られて左右に開き気味になるのを該線状芯材の中心方向の引っ張りによりバスト上部にかかるテンションの分断をなくすことを主眼として案出された考案であり、アンダーバストよりも下方に連結部の中央に対する切り欠き部を設けて線状芯材を配置することによる左右への保形については何らの工夫、配慮は施されてはいない。
【０００６】
すなわち、特許文献１に記載の上記従来のブラジャーでは、例えば特に面積が小さく、バスト上部（チェスト）を横方向に通過する上側のテンションと、バージスラインに一致するアンダーバストを横方向に通過する下側のテンションとが均衡してバランスを保持するようになっている特に１／２カップのブラジャーについては、ブラジャーの連結部の中央に深い切欠き部を設けようとした場合に、切欠き部の切込み深さがの設置比率がフルカップや３／４カップのブラジャーよりも大きくなるため、左右のカップが左右に斜め下方に引張られて左右に開き気味になる傾向が一層強くなるが、先すぼまりの正面略Ｕ字状の線状芯材により左右のカップを中心方向に引っ張ることにより、バージスラインに一致するアンダーバストを横方向に通過する下側のテンションに対してバスト上部にかかるテンションの分断をなくし、左右のカップが動いたり、変形するのを防止しようとするものにすぎない。
【０００７】
そのため、特許文献１に記載のブラジャーでは、特に左右のカップの面積が小さい１／２カップのブラジャーにおいては、左右の連結部の中央に設けた切欠き部の切り込み深さが、例えばアンダーバストよりも下方に到る深い切欠き部を設けたことにより左右のカップが左右方向に開くのを防止したり、また、アンダーバストよりも下方に切欠き部を深く入れた時にバストの重みが左右のカップに加わったり、前屈みになったり、運動するなどして身体の動きが複雑に左右のカップに加わった場合に、正面略Ｕ字状の線状芯材の左右の対辺により左右のカップを中央へ引き付けるだけでは左右のカップの動きや変形を充分に防止することができず、左右のカップは前後左右に動き易くなって不安定になり、バストへの保形性は低下する欠点がある。
【０００８】
しかも、特許文献１に記載の従来のブラジャーにおいて用いられる線状芯材は、正面先すぼまりの略Ｕ字状に形成されるので、線状芯材の基端側が丸みを帯びて形成されることになる。従って、ブラジャーの連結部の中央に設ける切欠き部の縁部に内装される正面略Ｕ字状をなす線状芯材の左右の対辺の基端側に形成される湾曲した閉鎖端の最も突出された部分は胸の谷間に対して点接触することになる。そのため、正面略Ｕ字状に形成される芯状芯材は、胸の谷間に対する接触面積が極めて小さくなるので、ブラジャーを着用した場合に、連結部が胸の谷間に定位置に止まり難く、前後左右、および上下に動き易くなる。
【０００９】
その結果、連結部も胸の谷間において、前後左右、および上下に動き易くなり、不安定になり、左右のカップも動き易く、変形し、保形性は失われる。
【００１０】
また、正面略Ｕ字状に形成される線状芯材は、向かい合う左右の対辺が側面一直線に形成されているので、バストの重みが左右のカップに加わったり、ブラジャーに身体の動きが加わると、正面略Ｕ字状をなす線状芯材の左右の対辺の基端側に形成される湾曲した閉鎖端の最も突出された部分が胸の谷間に点接触する左右の対辺の基端部を中心として左右の対辺の先端側が肌から遠去る方向へ浮き上がり、連結部の上端が胸の谷間から一層顕著に浮き上がりを生ずる。従って、連結部の上端の胸の谷間からの浮き上がりが顕著になるため、ブラジャーは前後左右、および上下に一層動き易くなって不安定になり、左右のカップによるバストアップや保形機能が低下することになっていた。
【００１１】
本発明は上記従来の欠点を解決し、左右のカップの面積が少ない１／２カップの場合でさえも、左右のカップを繋ぐ連結部にアンダーバストよりも下方に到る切込み深さが深い切り欠き部を設けた場合や、また、連結部にこのような深い切り欠き部を設けた場合に、バストの重みが左右のカップに加わったり、前屈みになったり、運動するなどして身体の動きが複雑に加わった場合に、線状芯材による左右のカップの中央への引き付けを充分に発揮して左右のカップが開くのを確実に防止するとともに、左右のカップが前後左右の何れにも動くのと、変形を確実に防止して安定性を高め、また、線状芯材の左右の対辺の上端が胸の谷間に対して浮き上がるのを確実に防止することにより、バストアップと、バストの高い保形性発揮するようにしたブラジャー、およびブラジャーに用いる芯状線材を提供することを目的とする。
【課題を解決するための手段】
【００１２】
本発明は上記課題に鑑みなされたものであり、請求項１に記載の発明は、着用時にバストを被覆する左右一対のカップと、該両カップを横一列に繋ぐ連結部と、該連結部の中央に形成される切欠き部と、向かい合う左右の対辺が上に行くほど互いに近接し、下方が閉鎖された上すぼまり状に形成されるとともに、前記対辺の上端にはゴム、合成樹脂等の弾性材によりマッチ状の被覆部を装着した線状芯材とを備え、該線状芯材が前記切欠き部の縁部に沿って内装したブラジャーにおいて、
前記線状芯材は、前記左右の対辺の上半部が下半部に対して内方に側面略く字形に折曲され、閉鎖端辺を有する前記下半部が左右の前記カップのバージスラインよりも下方に充分な長さに形成されて前記切欠き部に取付けられることを特徴とした。
【００１３】
また、本発明の請求項２に記載の発明は、請求項１において、前記線状芯材は、正面形状が直線状の前記閉鎖端辺と、上に行くほど互いに近接する左右の前記対辺とにより略等辺三角形に形成されることを特徴とした。
【００１４】
また、本発明の請求項３に記載の発明は、請求項１,２において、前記線状芯材は、前記切欠き部の左右対向する縁部に略筒状に形成される収容部内に左右の前記対辺が同時に下方から上方へ挿入の上、閉鎖端辺が前記切欠き部の下縁部片を巻き付けられて固定されることを特徴とした。
【００１５】
また、本発明の請求項４に記載の発明は、請求項１,２,３において、前記線状芯材は、高さが６５０±２０ｍｍに形成されることを特徴とした。
【００１６】
また、本発明の請求項５に記載の発明は、着用時にバストを被覆する左右一対のカップと、該両カップを横一列に繋ぐ連結部と、該連結部の中央に形成される切欠き部と、向かい合う左右の対辺が上に行くほど互いに近接し、下方が閉鎖された上すぼまり状に形成されるとともに、前記対辺の上端にはゴム、合成樹脂等の弾性材によりマッチ状の被覆部を装着した線状芯材とを備え、該線状芯材が前記切欠き部の縁部に沿って内装したブラジャーに用いるものにおいて、
前記線状芯材は正面形状が直線状の前記閉鎖端辺と、上に行くほど互いに近接する左右の前記対辺とにより略等辺三角形に形成され、側面形状が前記左右の対辺の上半部が下半部に対して内方に側面略く字形に折曲され、閉鎖端辺を有する前記下半部が左右の前記カップのバージスラインよりも下方に充分な長さに形成されて前記切欠き部に取付けられることを特徴とした。
【発明の効果】
【００１７】
本発明は上記従来の欠点を解決し、左右のカップの面積が少ない１／２カップの場合でさえも、左右のカップを繋ぐ連結部に設けた切り欠き部の切込み深さが深く、バージスラインに一致するアンダーバストよりも下側にまで位置したり、また、バストの重みが左右のカップに加わったり、前屈みになったり、運動するなどして身体の動きが複雑に加わった場合に、線状芯材により左右のカップを中央に引き付けることにより左右のカップが開くのを確実に防止するとともに、左右のカップが前後左右の何れに動くのと、変形するのを確実に防止して安定性を高め、また、線状芯線の左右の対辺が胸の谷間に対して浮き上がるのを確実に防止し、バストアップがはかり、保形性が極めて高いブラジャー、およびブラジャーに用いる芯状線材を提供することを目的とする。
【発明を実施するための最良の形態】
【００１８】
以下図面に従い、本発明を実施するための最良の形態につき詳細を説明する。
【００１９】
図１は１／２カップをロングとして適用し、ウエディング用として着用するための本発明のブラジャーの実施形態１を示す正面図、図２は同じく本実施形態１で使用する線状芯材の一例を示す正面図、図３は同じく側面図、図４は同じく左右のカップを繋ぐ連結部の中央に設けた切り欠部の縁部に線状芯材を取付ける状態を示す正面図、図５は同じく使用状態を示す断面図である。
【００２０】
本実施形態１は、着用時にバストを被覆する左右一対のカップ１,１′と、該両カップ１,１′を横一列に繋ぐ連結部２と、該連結部２の中央に形成される切欠き部３と、向かい合う左右の対辺４ａ,４ｂが上に行くほど互いに近接し、下方が閉鎖された上すぼまり状に形成されるとともに、前記対辺４ａ,４ｂの上端にはゴム、合成樹脂等の弾性材によりマッチ状の被覆部５を装着した線状芯材４とを備え、該線状芯材４が前記切欠き部３の縁部３ａに沿って内装したブラジャーである点は特許文献１に記載のブラジャーと同様の構成である。
【００２１】
しかしながら、本実施形態１のブラジャーは、前記線状芯材４は、図１に示すように正面形状が、直線状の前記閉鎖端辺４ｃと、上に行くほど互いに近接する左右の前記対辺４ａ,４ｂとにより略等辺三角形に形成される。この線状芯材４は、例えばステンレス線、銅硬線、鋼線等の金属線で形成されても良いし、合成樹脂により形成されてもよい。要はある程度のばね性、可撓性を発揮し、しかも剛性により保形性を発揮する素材により形成されるものであるものならばよい。
【００２２】
また、本実施形態１の前記線状芯材４は、高さＨが６５０±２０ｍｍに形成される。このように線状芯材４の高さＨを６５０±２０ｍｍに形成したのは、閉鎖端辺４ｃを有する線状芯材４の前記下半部４ａ2,４ｂ2が左右の前記カップ１,１′のバージスラインＳよりも下方に充分な長さｌに形成されて前記切欠き部３に取付けられるようにするためである。
【００２３】
また、前記線状芯材４の前記閉鎖端辺４ｃの幅Ｗ１は約２０〜３０ｍｍに形成される。
【００２４】
このように、線状芯材４の閉鎖端辺４ｃを約２０〜３０ｍｍに形成したのは、両カップ１,１′を横一列に繋ぐ連結部２が、左右の前記カップ１,１′のバージスラインＳよりも下方に充分な長さｌに形成された閉鎖端辺４ｃを介して胸の谷間に線接触することにより前後左右、および上下にずれ動くことなくするためである。
【００２５】
さらに、本実施形態１の前記線状芯材４は、図３に示すように、前記左右の対辺４ａ,４ｂの上半部４ａ1,４ｂ1が下半部４ａ2,４ｂ2に対して内方に側面略く字形に折曲される。このように、前記線状芯材４の左右の対辺４ａ,４ｂの上半部４ａ1,４ｂ1が下半部４ａ2,４ｂ2に対して内方に側面略く字形に折曲したのは、バストの重みが左右のカップ１,１′に加わったり、身体の動きが加わった場合に、線状芯材４の左右の対辺４ａ,４ｂの上端が胸の谷間に確実に押付けられて左右のカップ１,１′間を繋ぐ連結部２の上方部が胸の谷間から浮き上がるのを防止し、ブラジャーが前後左右に動くのを防止してカップ１,１′によりバストを安定に覆い、バストアップや保形機能を高めるためである。
【００２６】
また、前記線状芯材４は、図４に示すように、前記切欠き部３に取付けるのに、前記切欠き部３の左右対向する縁部３ａ,３ａに略筒状に形成される収容部６,６内に左右の前記対辺４ａ,４ｂを同時に下方から上方へ挿入の上、閉鎖端辺４ｃに前記切欠き部３の下縁部片３ｂを巻き付けられて固定される。この時、閉鎖端辺４ｃに対する下縁部片３ｂの固定は、縫着によっても良いし、接着剤を用いて接着しても良い。
【００２７】
このように、線状芯材４を切欠き部３に取付けるのに、前記切欠き部３の左右対向する縁部３ａ,３ａに略筒状に形成した収容部６,６内に左右の対辺４ａ,４ｂを同時に下方から上方へ挿入すれば良いので、線状芯材４の取付作業を短時間に迅速かつ確実に行うことができ、生産効率が高くなる。
【００２８】
７は本実施形態１のブラジャーの左右のカップ１,１′の下側の湾曲したアンダーバストライン８,８に必要に応じて内挿された円弧に曲成されたワイヤーである。このワイヤー７は公知のものであり、バストのバージスラインＳ付近を下側から保形するためのものである。
【００２９】
本発明のブラジャーの実施形態１は以上の構成からなり、左右一対のカップ１,１′を横一列に繋ぐ連結部２の中央に形成される切欠き部３には、図１、図２に示すように正面形状が、直線状の閉鎖端辺４ｃと、上に行くほど互いに近接する左右の対辺４ａ,４ｂとにより略等辺三角形に形成された線状芯材４が切欠き部３の縁部３ａに沿って内装されているので、この線状芯材４により左右のカップ１,１′が、図１の矢印に示すように中心側に引っ張られ、バストの上部（チェスト）にかかるテンションが分断されることがない。
【００３０】
この時、ブラジャーの左右のカップ１,１′が１／２カップのように面積が少なく、しかも、左右のカップ１,１′を繋ぐ連結部２に設けた切り欠き部３の切込み深さＷ２が深く、バージスラインＳに一致するアンダーバストＵよりも深く位置している場合でも、全体の高さＨが６５０±２０ｍｍをなして閉鎖端辺４ｃを有するこの線状芯材４の下半部４ａ2,４ｂ2が左右の前記カップ１,１′のバージスラインＳよりも下方に充分な長さｌに位置して切欠き部３に取付けられるので、この線状芯材４の左右の対辺４ａ,４ｂにより左右のカップ１,１′が、図１の矢印に示すように中心側に確実に引っ張られ、左右のカップ１,１′が開いてバストの上部（チェスト）にかかるテンションが分断されることがない。
【００３１】
従って、左右のカップを繋ぐ連結部の中央に設けた切り欠き部の縁部に、単に先すぼまりの正面略Ｕ字状の線状芯材を内装した特許文献１に記載の上記従来のブラジャーでは、バスト上部（チェスト）を横方向に通過する上側のテンションと、バージスラインに一致するアンダーバストを横方向に通過する下側のテンションとが均衡してバランスが保持されるようになる特に面積が少ない１／２カップのブラジャーに、仮に切欠き部の切り込み深さが例えばアンダーバストの下方よりも深く形成された場合、また、切欠き部の切り込み深さが例えばアンダーバストの下方よりも深く形成された連結部を繋ぐ左右のカップにバストの重みが加わったり、前屈みになったり、運動するなどして身体の動きが複雑にブラジャーに加わった場合に、正面略Ｕ字状の線状芯材の左右の対辺による左右のカップに対する中央への引きつけだけでは左右のカップの動きや変形を充分に防止することができない。しかも、左右のカップは前後左右、および上下に動いて不安定になり、保形性が低下するのとは異なり、本実施形態１では線状芯材４の左右の対辺４ａ,４ｂにより左右のカップ１,１′が、図１の矢印に示すように中心側に確実に引っ張られ、左右のカップ１,１′が動いたり、変形するのを確実に防止できるとともにバストアップ保形性を高めることができる。
【００３２】
また、本実施形態１に用いる線状芯材４は、前述のように正面形状が、略等辺三角形に形成されているので、両カップ１,１′を横一列に繋ぐ連結部２は閉鎖端辺４ｃを介して胸の谷間に線接触するとともに左右の対辺４ａ,４ｂの上端に装着したはゴム、合成樹脂等の弾性材によりマッチ状の被覆部５,５が胸の谷間に２個所にて接触することにより合計３個所にて正面略三角形をなすように安定に接触するため、線状芯材４は前後左右、および上下の何れの方向にずれ動くことなく、連結部２を胸の谷間に密接する。このため、左右のカップ１,１′が変形することなく、適正にバストを覆うため、バストアップが確実にはかれ、保形性を高めることができる。
【００３３】
この点、特許文献１に記載の従来のブラジャーにおいて用いられる線状芯材では、正面先すぼまりの略Ｕ字状に形成されるので、この線状芯材がブラジャーの連結部の中央に設ける切欠き部の縁部に内装された時に、線状芯材の左右の対辺の基端側に形成される湾曲した閉鎖端の最も突出された部分は胸の谷間に対して点接触することになり、胸の谷間に対する接触面積が極めて小さくなるため、ブラジャーを着用すると、胸の谷間の定位置に
静止し難く、前後左右、および上下に動き易くなる。その結果、連結部も胸の谷間において、前後左右、および上下に動き易くなり、不安定になり、左右のカップも動き易く、変形し、保形機能は低くなる。
【００３４】
しかも、本実施形態１の前記線状芯材４は、図３、図５に示すように、前記左右の対辺４ａ,４ｂの上半部４ａ1,４ｂ1が、下半部４ａ2,４ｂ2に対して内方（肌に密着する側）に側面略く字形に折曲されているので、バストの重みが左右のカップ１,１′に加わったり、ブラジャーに身体の動きが加わった場合に、線状芯材４の左右の対辺４ａ,４ｂの上端の被覆部５,５が胸の谷間に弾力的に密接することができるため、左右のカップ１,１′間を繋ぐ連結部２の上方部が胸の谷間から浮き上がるのを確実に防止することができる。このため、ブラジャーが前後左右、および上下に動くのを防止することができ、カップ１,１′によりバストを安定に覆い、バストアップや保形機能を高めることができる。
【００３５】
また、本実施形態１に用いる線状芯材４は、前述のように正面形状が直線状の閉鎖端辺
４ｃと、上に行くほど互いに近接する左右の対辺４ａ,４ｂとにより略等辺三角形に形成されるので、この線状芯材４を連結部２に設ける切欠き部３に取付けるには、図４に示すように、この切欠き部３の左右対向する縁部３ａ,３ａに形成した略筒状の収容部６,６内に線状芯材４の左右の対辺４ａ,４ｂを同時に下方から上方へ挿入すれば良く、その後、閉鎖端辺４ｃに切欠き部３の下縁部片３ｂを巻き付けた後に、縫着したり、接着剤を用いて接着する等して固定するので、線状芯材４の取付作業、および組付作業を短時間に迅速かつ確実に行うことができ、生産効率が高くなる。
【００３６】
この点、線状芯材が先すぼまりの正面Ｕ字状に形成された特許文献１に記載の従来のブラジャーでは、左右のカップを繋ぐ連結部の中央に設けるＵ字状の切欠き部の縁部に縫合したバイヤステープよりなるくるみ部の片端開口から他端開口に向かって線状芯材を一端から他端に到る全長を正面Ｕ字状の外形状に沿って押圧することにより挿通し、その後、端開口を閉じなければならないので、線状芯材を略Ｕ字状の切欠き部に取付るための取付作業、および組付作業には多くの時間および手間がかかり、生産効率は低い。
【００３７】
また、上記実施形態１は、本発明の代表的説明であり、本発明はこれに限ることなく、左右１対のカップを横一列に繋ぐ連結部の中央に設けた切欠き部３の縁部３ａに沿って線状芯材４を内装するものであればショートタイプの１／２カップのブラジャーはもとより、フルカップ、３／４カップのブラジャー、またブラジャー付きのファンデーション、例えばブラ付きスリップ、キャミソール、ボディスーツ、ウェストニッパー、またウェディング用のドレス、ダンス用のドレス、アイススケート用のドレス、ステージ衣装や水着にも適用することができる。
【産業上の利用可能性】
【００３８】
本発明は左右のカップの面積が少ない１／２カップの場合でさえも、左右のカップを繋ぐ連結部に設けた切り欠き部の切込み深さが深く、バージスラインに一致するアンダーバストよりも下側にまで位置したり、また、バストの重みが左右のカップに加わったり、前屈みになったり、運動するなどして身体の動きが複雑に加わった場合に、線状芯材により左右のカップを中央に引き付けることにより左右のカップが開くのを確実に防止するとともに、左右のカップが前後左右、および上下の何れかに動くのと、変形するのを確実に防止して安定性を高め、また、線状芯材の左右の対辺が胸の谷間に対して浮き上がるのを確実に防止し、バストアップがはかり、保形性が極めて高い分野・用途に適する。
【図面の簡単な説明】
【００３９】
【図１】図１は１／２カップをロングとして適用し、ウエディング用として着用するための本発明のブラジャーの実施形態１を示す正面図である。
【図２】図２は同じく本実施形態１で使用する線状芯材の一例を示す正面図である。
【図３】図３は同じく側面図である。
【図４】図４は同じく左右のカップを繋ぐ連結部の中央に設けた切り欠部の縁部に線状芯材を取付ける状態を示す正面図である。
【図５】図５は同じく使用状態を示す断面図である。
【符号の説明】
【００４０】
１      カップ
１′    カップ
２      連結部
３      切り欠部
４      線状芯材
４ａ    対辺
４ａ1   上半部
４ｂ1   上半部
４ａ2   下半部
４ｂ2  下半部
５      被覆部
６      収容部
７      ワイヤー
８      アンダーバストライン
Ｓ      バージスライン
Ｕ      アンダーバスト
ｌ      長さ
【図１】
2006045683.tif 000003
【図２】
2006045683.tif 000004
【図３】
2006045683.tif 000005
【図４】
2006045683.tif 000006
【図５】
2006045683.tif 000007